(57)【特許請求の範囲】
【請求項１】
織り交ぜられた導電性糸及び非導電性糸から形成される、電子装置の接続を可能にする織物であって、
導電性経糸の上部配列を含む上部経糸層、導電性経糸の下部配列を含む下部経糸層、及び、前記上部経糸層と前記下部経糸層との間に配置された中間経糸層を含む多層経糸と、
導電性緯糸及び非導電性緯糸を含む緯糸とを含み、
導電性緯糸の第１セットは、導電性経糸の前記上部配列と交差し、これにより、これらの間で電気的接触が達成され、
導電性緯糸の第２セットは、導電性経糸の前記下部配列と交差し、これにより、これらの間で電気的接触が達成され、
導電性緯糸の前記第２セットは、選択されたループ位置において、前記上部経糸層及び前記中間経糸層の非導電性経糸の周りでループを形成し、
前記ループの各々は、第２上部層接続点との電子装置の接続を可能にする第１上部層接続点を提供し、
前記第２上部層接続点は、導電性経糸の前記上部配列からの導電性経糸及び導電性緯糸の前記第１セットからの導電性緯糸のうちの１つに設けられる、織物。
【請求項２】
導電性緯糸の前記第１セットが、選択されたループ位置において、前記下部経糸層及び中間経糸層の非導電性経糸の周りにループを形成し、
前記ループの各々は、第２下層接続点との電子装置の接続を可能にする第１下層接続点を提供し、
前記第２下層接続点は、導電性経糸の前記下部配列からの導電性経糸及び導電性緯糸の前記第２セットからの導電性緯糸のうちの１つに設けられる、請求項１に記載の織物。
【請求項３】
導電性経糸の前記上部配列の前記導電性糸の各々と導電性緯糸の前記第１セットとの間に電気的接触が達成され、その結果、複数の上部格子要素を含む上部導電性格子が形成され、
導電性経糸の前記下部配列の前記導電性糸の各々と導電性緯糸の前記第２セットとの間に、電気的接触が達成され、その結果、複数の下部格子要素を含む下部導電性格子が形成され、
前記ループ位置は、前記ループが、前記上部格子及び下部格子のうちの少なくとも一つの各格子要素に対して前記上部導電性格子と前記下部導電性格子との間の電子装置の接続を可能にするように選択される、請求項１又は２に記載の織物。
【請求項４】
少なくとも前記下部経糸層は、導電性経糸の複数の下部配列を含み、
前記導電性緯糸は、複数のセットに分割され、導電性経糸の前記下部配列の各々は、前記複数のセットから導電性緯糸の対応するセットによって交差され、これにより、これらの間で電気的接触が達成される、請求項１乃至３のいずれか一項に記載の織物。
【請求項５】
前記ループの少なくとも一部は、前記上部層においてより、前記中間層において、多くの非導電性経糸の周りに、各々形成される、請求項１に記載の織物。
【請求項６】
請求項１乃至５の何れか一項に記載の織物と、
複数の電子装置とを含み、各々が前記第１接続点及び第２接続点に接続される、電子織物。
【請求項７】
前記電子装置の各々が、発光ダイオードを含む、請求項６に記載の電子織物。
【請求項８】
前記電子装置の各々は、異なる特徴を有する異なる発光ダイオードを補償するための安定化回路を更に含む、請求項７に記載の電子織物。
【請求項９】
前記安定化回路が抵抗を含む、請求項８に記載の電子織物。
【請求項１０】
前記安定化回路が、少なくとも一つのトランジスタを含む、請求項８又は９に記載の電子織物。
【発明の詳細な説明】
【技術分野】
【０００１】
本発明は、電子装置の接続を可能にする、織り交ぜられた導電性及び非導電性糸から形成される織物、並びにこのような織物を含む電子織物に関する。
【背景技術】
【０００２】
現在、電子織物の分野の研究は非常に活発であり、今日の市場では、高度な電子織物製品があまり見つからないが、多くの新製品が近い将来、消費者に至る態様を見つけると思われる。
【０００３】
消費者の心に訴えると思われる製品群の一例は、能動的に発光する織物から作られる製品である。このような織物は、発光ダイオード（ＬＥＤ）のような光源のマトリクスを有し得、電源に接続され、オプションとして織物に設けられる導体パターンを介してＬＥＤ制御器に接続され、家庭内の織物、例えばカーテン又は枕カバー、及び衣服を作るために使用され得る。
【０００４】
国際特許出願公開ＷＯ０３／０９５７２９において、実施例が開示され、複数のＬＥＤを含む機能的な糸は、アドレス指定可能なパッシブマトリクスディスプレイを形成する導電性糸及び非導電性糸で織り交ぜられ、ＬＥＤは、個々にアドレス指定され得る。
【０００５】
パッシブマトリクス型電子織物、例えば上述の文書で開示されたものにおいて、電源から特定のＬＥＤに至る行及び列の両方の導体は、動作可能な特定のＬＥＤのために無傷であることを必要とする。これは、織物が一般に家庭内の織物又は衣服の製造を可能にするように適切な形状及び寸法に切断されることを必要とするので、この種の電子織物の不利な点である。
【０００６】
したがって、この機能を失うことなく、寸法通りに切られ得る電子織物に対するニーズが存在する。
【発明の概要】
【発明が解決しようとする課題】
【０００７】
従来技術の上述の及び他の欠点を鑑みて、本発明の主な目的は、電子装置をつなぐ改良された織物を提供することである。
【０００８】
本発明の更なる目的は、この機能を失うことなく、寸法通りに切られ得る電子織物を提供することにある。
【課題を解決するための手段】
【０００９】
本発明の第１の態様によると、これら及び他の目的は、織り交ぜられた導電性糸及び非導電性糸から形成された、電子装置の接続を可能にする織物によって達成される。該織物は、導電性経糸の上部配列を有する上部経糸層、導電性経糸の下部配列を有する下部経糸層、及び上下の経糸層の間に配置される中間経糸層を含む多層経糸と、導電性及び非導電性緯糸を含む緯糸とを有する。織物において、導電性緯糸の第１セットは、電気的接触がそこで達成されるように、導電性経糸の上部配列と交差し、導電性緯糸の第２セットは、電気的接触がそこで達成されるように、導電性経糸の下部配列と交差し、選択されたループ位置の導電性緯糸の第２セットは、上部及び中間の経糸層の非導電性経糸の周囲にループを形成し、ループの各々は、導電性経糸の上部配列からの導電性経糸、及び導電性緯糸の第１セットからの導電性緯糸のうちの１つに設けられる、第１上部層の接続点と第２上部層の接続点との間の電子装置の接続を可能にする、第１上部層の接続点を提供する。
【００１０】
本発明による織物は、多数の接続経路を電子装置に接続する接続点の各対に提供する。これによって、本発明による織物から形成される電子織物は、織物の切断に対して非常に強くされ得る。言い換えると、特定の電子装置に至る接続経路の多数が壊れている場合でさえも、電子装置が何も起こらなかったかのように機能し得るように、いくつかの接続経路が残るという確率が高い。これは、電子織物が、本発明による織物を用いることにより、電子織物における電子装置の動作に影響することなく、寸法通りに切断され得ることを意味する。電源の適当な位置決め、又は電源の冗長性があれば、電子織物の電子装置が電力を供給され、動作するときさえも、同様である。
【００１１】
本発明による織物において、導電性緯糸の第１セットは、選択されたループ位置において、下部及び中間の経糸層の非導電性経糸の周りでループを形成し得、ループの各々は、導電性経糸の下部配列からの導電性経糸、及び導電性緯糸の第２セットからの導電性緯糸のうちの１つに設けられる、第１下層接続点と第２下層接続点との間の電子装置の接続を可能にするため、第１下層接続点を提供している。
【００１２】
このように、織物に対する電子装置の両面接続が、可能にされる。
【００１３】
更に、電気的接触は、複数の上部格子要素を含む上部導電性格子が形成されるように、導電性経糸の上部配列の導電性糸の各々と、導電性緯糸の第１セットとの間に達成され得、複数の下部格子要素を含む下部導電性格子が形成されるように、導電性経糸の下部配列の導電性糸の各々と、導電性緯糸の第２セットとの間に達成され得、ループ位置は、ループが上部及び下部の格子のうちの少なくとも１つの各格子要素に対して、上部及び下部の導電性格子の間に電子装置の接続を可能にするように、選択され得る。
この装置を通じて、非常に多くの数の接続経路が、織物に接続される電源と電子装置との間にあることを確実にされる。
【００１４】
現在の本発明の一実施例によると、少なくとも下部経糸層は、導電性経糸の複数の下部の配列を含み、導電性緯糸は、複数のセットに分割され、導電性経糸の下部配列の各々は、電気的接触が間で達成されるように、複数のセットからの導電性緯糸の対応するセットによって交差される。
【００１５】
本発明の本実施例によって、別個の電源供給及び／又はいくつかのセットの接続された電子装置、例えば異なる色のＬＥＤの制御が可能にされ、一方、電子装置の動作に影響することなく、寸法通りに切断され得る性能を維持する。
【００１６】
本発明の他の実施例によると、少なくとも一部のループは、上層ではなく中間層の多くの非導電性経糸の周辺で、各々が形成され得る。このように、多層織りの中間層は、織物に大きく関連し、これは改良された完全性を有するより強い織物の形成を可能にする。
ループが導電性緯糸の第１セットによって形成される場合、これらのループは、もちろん、類似して、下層においてよりも中間層における多くの非導電性経糸の周辺で形成され得る。
【００１７】
例えば、ループは、階段状の態様で織りを横断することによって形成され得、その結果、ループは、ループの元の位置からループの折り返し部分まで、より少ない数の糸の周辺で形成される。３層織りの最も簡潔な場合では、ループは、例えば下層の３つの経糸、中間層の２つの経糸、及び上層の１つの経糸の周辺で形成され得る。
【００１８】
本発明による織物は、更に、電子織物に含まれ得、更に複数の電子装置を含み得、各々が織物の第１及び第２接続点に接続される。
電子装置は、本発明による織物に接続可能であるいかなる種類の装置も含み得る。本発明の織物がいくつかの同一の部品又はグループの部品、例えばＬＥＤ又はセンサに最も適していると想像されるが、他の構成もあり得る。
【００１９】
１つ又は複数の電源は、このため設けられる接続位置で織物に接続され得、及び／又は電源コネクタは、１つ又は好ましくは織物全体に渡るいくつかの位置において、外部電力の接続を可能にするために提供され得る。例えば、外部電力に対するこのような接続は、経糸及び／又は緯糸方向に一定の間隔で設けられ得る。電子織物の一実施例によると、電子装置の各々は、発光ダイオードを含み得る。
【００２０】
前記電子装置の各々は、異なる特徴を有する異なる発光ダイオードを補償するため、安定化回路を更に含み得る。
【００２１】
通常よくあるが、異なるＬＥＤが異なる電圧輝度特性を有する場合、異なる（非常に異なる）電流量が、安定化回路のない異なるＬＥＤ中を流れる。これは、ＬＥＤマトリクス電子織物の不均一な外観をもたらし、ユーザにとって望ましくないものであり得る。
【００２２】
このような安定化回路は、好都合にもレジスタを含み得る。
【００２３】
各ＬＥＤと直列に抵抗を加えることによって、ＬＥＤを流れる電流は、制限される及び、ある程度、正規化される。
【００２４】
安定化回路は、少なくとも一つのトランジスタを更に含み得、これによってＬＥＤに対する電流のより効率的な正規化が、実現され得る。
【００２５】
特に良好な均一性は、各ＬＥＤに対していわゆる電流ミラーを実施することにより得られ得る。
【００２６】
本発明のこれら及び他の態様は、本発明の好ましい実施例を現在示す添付の図面に関して、更に詳細に記載されるであろう。
【図面の簡単な説明】
【００２７】
【図１ａ】図１ａは、本発明の第１実施例による織物の概略的な斜視断面図である。
【図１ｂ】図１ｂは、線Ａ−Ａに沿う図１ａの織物の経糸方向の断面図である。
【図２】図２は、経糸方向において、本発明の第２実施例による織物の概略的な横断面図である。
【図３】図３は、本発明の一実施例による織物を利用した電子織物の丈夫さを図示した概略図である。
【図４ａ】図４ａは、本発明の第３実施例による織物に接続されるＬＥＤの形態で電子装置を有する、該織物の概略的な上面図である。
【図４ｂ】図４ｂは、図４ａの織物の線Ｂ‐Ｂに沿った経糸方向の断面図である。
【図４ｃ】図４ｃは、図４ａの織物の線Ｃ‐Ｃに沿った経糸方向の断面図である。
【図４ｄ】図４ｄは、図４ａの織物の線Ｄ‐Ｄに沿った経糸方向の断面図である。
【図５ａ】図５ａは、本発明による電子織物のあり得る電子装置構成の実施例を示す概略的な回路図である。
【図５ｂ】図５ｂは、本発明による電子織物のあり得る電子装置構成の実施例を示す概略的な回路図である。
【図５ｃ】図５ｃは、本発明による電子織物のあり得る電子装置構成の実施例を示す概略的な回路図である。
【発明を実施するための形態】
【００２８】
以下の説明において、本発明は、３つの経糸層及び特定の簡略化された織りレイアウトを有する織物に関して記載される。これは、本発明の範囲を決して制限するべきでなく、これはより多くの経糸層を有する織物、及び他の種類の織りレイアウトに等しく適用可能である。
【００２９】
更に、以下に記載される例示的な電子織物は、ＬＥＤを含む。これは、明らかに、他の種類の電子装置を有する電子織物を除外するものとして解釈されるべきでない。逆に、本発明による織物に接続されるいかなる種類の電子装置、例えばセンサ、照明装置、通信装置等を有する電子織物も、本発明の範囲内にあると考慮されるべきである。
【００３０】
下記の説明では、繰り返し経糸及び緯糸に言及される。織物において、織物の方向に一般に伸張する糸は、通常経糸と呼ばれ、一方、織物の方向（及び経糸に）実質的に垂直に伸張する糸は、緯糸と称される。経糸及び緯糸が通常は互いに対して垂直であるが、これは、必須ではなく、本発明は、互いに対して垂直である経糸及び緯糸を有することに制限されるとして解釈されるべきではない。
【００３１】
図１ａにおいて、本発明の第１実施例による３層織りの織物１００は、中間の経糸層１０３によって分離される上部経糸層１０１及び下部経糸層１０２を有して、図式的に示される。上部経糸層１０１は、非導電性経糸１０５ａ乃至ｅによって分離されたアレイ状の導電性経糸１０４ａ乃至ｂを有し、下部経糸層１０２は、現在図示された実施例において、同一であるが並進された導電体１０６ａ乃至ｂ及び非導電体１０７ａ乃至ｅの経糸の構成を有する。ここで中間の経糸層１０３は、全て非導電性経糸から成る。しかしながら、これは、必須ではない。
【００３２】
緯糸方向では、導電性緯糸の第１セットから１つの導電性緯糸１０８、及び導電性緯糸の第２セットから２つの導電性緯糸１０９ａ乃至ｂが、図１ａにおいて示され得る。非導電性緯糸は、図１ａに示される導電性緯糸の間に存在し得るが、ここでは、明確にするため省略される。
【００３３】
図１ａを再度参照すると、導電性緯糸１０９ａは、非導電性経糸１０７ｄと交差するまで、下部経糸層１０２の非導電性経糸の上下に交互に行くのを見られ、この後、導電性緯糸１０９ａは、下部経糸層１０２の１つの非導電性経糸１０７ｅ、中間層１０３の１つの非導電性経糸１１１、及び上部経糸層１０１の１つの非導電性経糸１０５ｂの周りでループ１１０を形成する。同じ導電性緯糸１０９ａに従って継続して、これは、次に下部経糸層１０２の導電性経糸１０６ｂと交差し、その結果この間に電気的接触が達成される。導電性緯糸の第２セットの導電性緯糸１０９ａ乃至ｂと、下部経糸層１０２の導電性経糸１０６と間のこのような交差により、下部導電性格子は、織物１００の下部経糸層側１１２の上に形成される。前述したように、第２セットの各導電性緯糸１０９ａ乃至ｂは、複数のループを形成し、これは全て下部導電性格子に電気的に接続される。
【００３４】
同様に、導電性緯糸の第１セットの導電性緯糸１０８は、上部経糸層１０１の導電性経糸１０４と共に、上部導電性格子を形成する。第１セットの導電性緯糸１０８は、単に上部導電性格子の形成を支援し得るか、又は図１ｂに図示されるように、織物１００の下側１１２から伸びるループ１１０について上述されたのと同様に、織物１００の下側１１２にループ１１３を形成し得る。
【００３５】
図１ａの織物１００の線Ａ‐Ａに沿う模式的な横断面を示す図１ｂを参照すると、導電性緯糸の第１セットの導電性緯糸１０８は、上部経糸層１０１の導電性経糸１０４ａと交差し、電気的接触をし、上部層の非導電性経糸１０５ａ、中間経糸層１０３の非導電性経糸１１４、及び下部経糸層１０２の非導電性経糸１０７ｄの周りでループ１１３を形成する。
【００３６】
本発明による織物の第２実施例を概略的に図示する図２において、ループ２０１が示され、これは、上部経糸層１０１の非導電性糸２０２ａ乃至ｅ、中間の経糸層１０３の非導電性糸２０３ａ乃至ｃ、及び下部経糸層１０２の非導電性糸２０４の周りで、導電性緯糸の第１セットの導電性緯糸１０８により形成される。この実施例によると、導電性緯糸１０８は、中間の経糸層１０３の経糸とより大きく相互作用し、導電性緯糸１０８のより良好なアンカリングをもたらす。図３は、本発明の一実施例による織物を利用した電子織物の丈夫さを図示する概略図である。
【００３７】
図３において、電子織物３００の一部の導体パターンが、図式的に示され、上層導電性格子３０１は、行３０２ａ乃至ｆ、及び列３０３ａ乃至ｅの格子の実線によって示され、下層導電性格子３０４は、行３０５ａ乃至ｆ及び列３０６ａ乃至ｅの格子の点線によって示される。
【００３８】
下層導電性格子３０２から、ループは、伝導性緯糸において形成され、結果として、各上部格子要素の示された接続点３０７となる（図を混乱させるのを回避するため、１つのループ接続点のみが、参照数字によって示される）。これらの接続点の各々と上部導電性格子の対応する接続点３０８との間に、ＬＥＤ３０９が接続される（再度、これらの各々のうちの１つのみが、参照数字によって示される）。
【００３９】
ＬＥＤを駆動するため、電源は、ここでは単に電圧源３１０として示され、上下の導電性格子３０１、３０４の間に接続される。本発明による織物に基づいて電子織物の丈夫さを示すため、ＬＥＤ３０９が上下の導電性格子３０１、３０４を介して電源３１０により給電される間、電子織物に対応するものが寸法通りに切断される状況が、図示されるであろう。
【００４０】
引き続き図３を参照すると、切断は、電子織物３００のＬＥＤ３０９ａのいくつかの側においてなされ、より詳細には、切断３１１ａ乃至ｆは、格子ライン３０２ｅ及び３０５ｅ、３０２ｄ及び３０５ｄ、３０３ｄ及び３０６ｄ、並びに３０３ｅ及び３０６ｅにより、それぞれ示された位置においてなされる。電子織物が、従来の行列アドレス指定可能なＬＥＤマトリックスである場合、部分的に単離されたＬＥＤ３０９ａは、この点において発光しないであろう。一方、本発明の一実施例による織物が使用される場合、図３において矢印及び文字ｉによって示されるように、ＬＥＤ３０９ａは、いくつかの残りの電流路とともに図示された状況で依然として給電されるであろう。
【００４１】
図４ａ乃至ｄを参照すると、本発明の第３実施例による織物４００は、ここではＬＥＤの形態で、織物４００のどの上部格子要素４０４に対しても３つの独立した電子装置４０１、４０２、４０３の接続を可能にし、以下に記載されるであろう。
【００４２】
図１ａ乃至ｂに関連して上述されるように、上部導電性格子４０５は、ここでは、導電性経糸４０６ａ乃至ｂ及び導電性緯糸４０７ａ乃至ｂにより形成される。図４ｂ乃至ｄと関連して記載されるように、各上部格子要素４０４において、３つの上層接続点４０８、４０９、４１０は、３つのそれぞれの分離した下部の導電性格子から緯糸ループによって形成される。
【００４３】
図４ａ乃至ｄにおいて図示される構成により、３セットの電子装置、例えば異なる色のＬＥＤが、互いとは別に制御され得、その結果、例えば、電子織物によって放出される光の色は、使用されるＬＥＤによって規定される色域全体に調整され得る。
【００４４】
図４ｂにおいて、経糸方向からわかるように、図４ａの織物４００の線Ｂ‐Ｂに沿う断面図が見られ得る。先に述べた実施例と同様に、織物４００は、経糸及び緯糸からなり、経糸は、上部、下部及び中間の経糸層１０１、１０２、１０３で構成され、上部経糸層１０１及び下部経糸層１０２は、（選択された）導電性経糸４０６ａ乃至ｂ、４２１ａ乃至ｄ、及び非導電性経糸４２２ａ乃至ｍ、４２３ａ乃至ｍを有し、中間層１０３は、全て非導電性経糸からなる。導電性緯糸４２３は、導電性緯糸４２４と導電性経糸４２１ｂとの間に電気的接触を達成するため、下部経糸層の導電性経糸の第１アレイに含まれる導電性経糸４２１ｂと交差するように、３つの経糸層１０１、１０２、１０３の経糸と織り交ぜられる。導電性経糸４２１ｂと交差させた後、導電性緯糸４２４は、下部経糸層１０２の非導電性経糸４２３ｆ、中間層１０３の非導電性経糸４２６、及び上部経糸層１０１の非導電性経糸４２２ｄの周りでループ４２５を形成し、ここでは、ループ４２５により形成される接続点と、第１経糸層１０１の導電性経糸４０６ａとの間に、ＬＥＤ４０３の形態で、電子装置の接続を可能にする。ループ４２５を完成させた後、導電性緯糸４２４は、２つの他の下部導電性格子に含まれる導電性経糸４２１ｃ及び４２１ｄとの接触を回避する。
【００４５】
図４ｃ乃至ｄは、それぞれ、図４ａの線Ｃ‐Ｃ及びＤ‐Ｄに沿う断面図であり、導電性緯糸の配列においてのみ図４ｂと異なる。図４ｃにおいて、導電性緯糸４３０は、電気的接触を達成するように導電性経糸４２１ｃと交差し、それから、ループ４３１により形成される接続点と導電性経糸４０６ａとの間にＬＥＤ４０２の接続を可能にするように、ループ４３１を形成する。図４ｄにおいて、導電性緯糸４４０は、電気的接触を達成するように導電性経糸４２１ｄと交差し、それから、ループ４４１により形成される接続点と導電性経糸４０６ａとの間にＬＥＤ４０１の接続を可能にするように、ループ４４１を形成する。図４ａ乃至ｄに関連して上述されるような織物４００の各格子要素４０４に３つの異なる色のＬＥＤを接続することの代替として、他の種類の電子装置が、上部導電性格子４０５と下部導電性格子との間に接続され得る。例えば、１つのＬＥＤ、１つの太陽電池及び１つの電池が、上部導電性格子４０５と、下部の導電性格子のそれぞれの一つとの間に、それぞれ上部層接続点４０８，４０９、及び４１０を介して接続され得る。このような構成により、ＬＥＤを駆動させるのに必要とされる外部電力の量は、著しく削減され得る。
【００４６】
図５ａ乃至ｃは、本発明による電子織物のあり得る電子装置構成の３つの実施例を示す概略的な回路図である。図５ａは、同じ電源５０２及び接地面５０３に接続される一連のＬＥＤ５０１ａ乃至ｄを示す基本的な電気回路図を示す。この図は、この設計の最も基本的な実施例を表す。ＬＥＤが全て同じ電圧輝度特性を有する場合、この電気設計は、マトリクスの寸法通りに切断することを実施するのに充分である。
【００４７】
ＬＥＤが同じ電圧輝度特性をもたない場合、図５ａに図示されるマトリクスのＬＥＤ５０１ａ乃至ｄの各々を通る電流において、非常に大きな違いがあり得る。
【００４８】
図５ｂを参照すると、抵抗５０４ａ乃至ｄは、各ＬＥＤ５０１ａ乃至ｄの前に配置され得る。この抵抗は、電流源としての機能を果たす、非常に狭い電流範囲を各ＬＥＤに提供し、これにより、異なる電圧輝度特性を有するＬＥＤの場合、より一様な発光をもたらす一次安定化回路としての機能を果たす。
【００４９】
図５ｃを参照すると、ＬＥＤ電流の更なる安定化は、マトリクスの各ＬＥＤ５０１に対して、抵抗５０４、２つのトランジスタ５０５、５０６及びＬＥＤ５０１で電流ミラーシステムを形成することにより達成され得る。この電流ミラーは、システムの異なるＬＥＤにほぼ一定の電流を供給する、システムに対する二次安定化部としての機能を果たす。
【００５０】
当業者は、本発明が好ましい実施例に決して制限されないと理解する。例えば、いくつかの導電性経糸及び／又は緯糸は、単一の導電性経糸及び／又は緯糸として図示される添付の図面及び上記説明にあることに対応して機能するため、互いに隣接して設けられ得る。このバンドリングは、伝導性の糸（糸束）の導電率及び／又は耐久性を向上させ得る。更に、下部及び上部経糸層の導電性経糸は、緯糸方向に並進され得るか、又は一致され得る。更に、上記の電子装置構成は、ＬＥＤ、抵抗及びトランジスタを含むが、これらの部品がいくつかの他の種類の部品及び装置で置き換えられ得るか、又は補われ得ることは、当業者により直ちに理解される。例えば、ＬＥＤは、センサ、通信装置、他の照明装置等と置き換えられ得るか、又は補われ得、上記の電流安定化回路に含まれる抵抗及びトランジスタは、他の部品、例えば追加のトランジスタ、ダイオード等と置き換えられ得るか、又は補われ得る。
【図１ａ】
0005528808.tif 000002
【図１ｂ】
0005528808.tif 000003
【図２】
0005528808.tif 000004
【図３】
0005528808.tif 000005
【図４ａ】
0005528808.tif 000006
【図４ｂ】
0005528808.tif 000007
【図４ｃ】
0005528808.tif 000008
【図４ｄ】
0005528808.tif 000009
【図５ａ】
0005528808.tif 000010
【図５ｂ】
0005528808.tif 000011
【図５ｃ】
0005528808.tif 000012